(57)【要約】【課題】ガラリ等の試験体の吹込み確認試験を容易に行うことができる吹込み確認装置を提供する。【解決手段】試験体であるガラリ３をセットする開口部４を備えたボディ２が、垂直軸線回りで回転自在に支持され、該ボディ２に翼８が取り付けられ、翼８に作用する風力でボディ２が回転し前記開口部４が風Ｗの向きに対して所定の向きを向くようになされている。ボディ２に対する翼８の角度は調節できるようになされているとよい。【選択図】      図１
2006084387.tif 000002
【特許請求の範囲】
【請求項１】
試験体をセットする開口部を有するボディが、開口部の向きを変化させることができるように回転自在に保持され、該ボディに翼が連結され、翼に作用する風力でボディが回転し前記開口部が風向きに対して所定の向きを向くようになされていることを特徴とする吹込み確認装置。
【請求項２】
ボディに対する翼の角度を調節することができるようになされている請求項１に記載の吹込み確認装置。
【発明の詳細な説明】
【技術分野】
【０００１】
本発明は、吹込み確認装置に関する。
【背景技術】
【０００２】
例えば、多雪地域において、建物の基礎の床下換気口に取り付けるガラリは床下への雪の吹込みを少なく抑える、あるいは、阻止することができるものである必要があり、そのようなガラリの開発においては、試作したガラリを用い、そのガラリによる雪の吹込み具合を試験で確かめてみる必要がある。
【発明の開示】
【発明が解決しようとする課題】
【０００３】
しかしながら、雪の吹込み具合は、風向きによって種々異なり、ガラリを風向きに対して所定の正確な向きとなるようにセットして試験を行うのは、手間を要して非常に厄介であるという問題がある。
【０００４】
本発明は、上記のような問題点に鑑み、試験体の吹込み確認試験を容易に行うことができる吹込み確認装置を提供することを課題とする。
【課題を解決するための手段】
【０００５】
上記の課題は、試験体をセットする開口部を有するボディが、開口部の向きを変化させることができるように回転自在に保持され、該ボディに翼が連結され、翼に作用する風力でボディが回転し前記開口部が風向きに対して所定の向きを向くようになされていることを特徴とする吹込み確認装置によって解決される。
【０００６】
この装置では、試験体をボディの開口部にセットし、風を吹き付ければ、翼に作用する風の力によってボディが風向きに対して自然と所定の正確な向きを向き、試験体の吹込み確認試験を容易に行うことができる。
【０００７】
上記の装置において、ボディに対する翼の角度を調節することができるようになされている場合は、翼の角度を調節するだけで、様々な向きからの風に対する試験体の吹込み確認試験を正確かつ容易に行っていくことができる。
【発明の効果】
【０００８】
本発明は、以上のとおりのものであるから、試験体の吹込み確認試験を容易に行うことができる。
【発明を実施するための最良の形態】
【０００９】
次に、本発明の実施最良形態を図面に基づいて説明する。
【００１０】
図１に示す第１実施形態の吹込み確認装置１において、２はボディであり、該ボディ２は、箱形をしていて、正面部に、試験体としてのガラリ３をセットする開口部４が備えられ、また、ベース板５付きの支柱６によって下から支えられ、ベアリング７によって垂直軸線回りで自由に回転できるようになされている。
【００１１】
そして、このボディ２の上面部には、垂直翼８が開口部４と直交するように取り付けられ、風Ｗが吹き付けられると、翼８がその風Ｗの風力で風の向きと平行になり、ボディ２が回転して、開口部４が風に正対するようになされている。
【００１２】
また、ボディ２の背面部には、ダンパー９付きの排気口１０が設けられ、ボディ２内に吹き込まれる風量を調整できるようになされている。なお、１１はフードである。
【００１３】
上記の吹込み確認装置１では、ボディ２の開口部４に試験用のガラリ３をセットし、雪混じりの風あるいは模擬雪混じりの風Ｗを装置１に対して吹き付ければ、図２（ロ）（ハ）に示すように、ボディ２の向きが風Ｗの向きに対して正確に正対していなくても、ボディ２は、翼８の受ける風力によって自然に回転をし、それによって、図２（イ）に示すように、ガラリ３は風Ｗに対して正確に正対する。そのため、ガラリ３を風Ｗの向きに対して正対するように正確にセットする手間を省くことができて、ガラリ３の吹込み確認試験を容易に行うことができる。図１（イ）において、Ｓは、試験においてボディ２内に吹き込んだ模擬雪である。
【００１４】
なお、風源は、風洞室に備えられたファンやブロワーなどであってもよいし、持ち運び可能な扇風機であってもよいし、自然の風であってもよいし、その他のものであってもよいし、それらすべてにおいて、試験を正確かつ容易に行っていくことができる。
【００１５】
図３に示す第２実施形態の吹込み確認装置１は、垂直翼８が開口部４に対して４５°異ならされていて、風が吹き付けられると、翼８がその風の風力で風の向きと平行になり、ボディ２が回転して、開口部４が風に対して４５°振れるようになされたものである。その他は第１実施形態と略同じである。
【００１６】
この吹込み確認装置１では、ボディ２の開口部４に試験用のガラリ３をセットし、雪混じりの風あるいは模擬雪混じりの風Ｗを装置１に向けて吹き付ければ、ボディ２の向きが風Ｗの向きに対して正確に４５°振れていなくても、ボディ２は、図３（イ）に示すように、翼８の受ける風力によって自然に回転をし、図３（ロ）に示すように、ガラリ３は風Ｗに対して４５°正確に振れた状態になる。そのため、試験において、ガラリ３を風Ｗの向きに対して４５°の角度となるように正確にセットする手間を省くことができて、ガラリ３の吹込み確認試験を容易に行うことができる。
【００１７】
そして、上記の各実施形態における吹込み確認装置１，１において、ボディ２に対する翼８の角度を調節することができるようにした場合は、正対吹込み試験と４５°吹込み試験を一つの装置で行うことができ、また、その他様々な角度での試験も一つの装置で正確かつ容易に行っていくことができる。
【００１８】
以上に、本発明の実施形態を示したが、本発明はこれに限られるものではなく、発明思想を逸脱しない範囲で各種の変更が可能である。例えば、上記の実施形態では、ボディが箱形である場合を示しているが、ボディの形態に制限はない。また、翼の形態や、開口部の形態についても制限はないし、試験体はガラリに限らない。また、上記の実施形態では、翼８が、直接ボディ２に取り付けられて連結されている場合を示しているが、連動機構を介して間接的にボディに連結されていてもよい。更に、雪の吹込みの確認試験に限らず、吹込みによりボディ２内の空気の流れなどを確認することなどに用いられてもよい。
【００１９】
更に、上記の実施形態では、ボディを垂直軸線回りで回転するように保持し、翼も風を受けて垂直軸線回りで回転するように保持した場合を示しているが、ボディを多軸回りで回転するように保持し、翼も風を受けて多軸回りで回転するように保持するようにしてもよく、その場合は、立体三次元方向の風に対して開口を所定の向きに向けることができるようなる。
【図面の簡単な説明】
【００２０】
【図１】第１実施形態の吹込み確認装置を示すもので、図（イ）は断面側面部、図（ロ）は斜視図である。
【図２】図（イ）〜図（ハ）はそれぞれ使用状態を示す吹込み確認装置の平面図である。
【図３】図（イ）は第２実施形態の吹込み確認装置を使用状態において示す平面図、図（ロ）は風向きとガラリとの向き関係を示す平面図である。
【符号の説明】
【００２１】
１…吹込み確認装置
２…ボディ
３…ガラリ（試験体）
４…開口部
８…翼
Ｗ…風
【図１】
2006084387.tif 000003
【図２】
2006084387.tif 000004
【図３】
2006084387.tif 000005